(57)【要約】【課題】光源装置を光学部品用筐体に固定するネジを緩めやすくすることができ、光源装置を容易に取り外すことができるプロジェクタの提供。【解決手段】プロジェクタは、光源装置４０と、光学部品用筐体４５とを備える。光学部品用筐体４５には、光源装置４０を固定するためのネジ孔４５３Ａを有する固定部４５２が設けられている。光源装置４０は、ネジ孔４５３Ａに螺合されることで光源装置４０を光学部品用筐体４５に固定するネジ６３と、ネジ６３の挿抜方向の移動を規制する留め具６４とを備える。そして、ネジ６３の挿抜方向の移動可能な距離Ｄ２は、光源装置４０が光学部品用筐体４５に固定されている状態において、ネジ孔４５３Ａに螺合する部分の長さＤ１以上に設定されている。【選択図】図５
2009175503.tif 000002
【特許請求の範囲】
【請求項１】
光源装置と、複数の光学部品を内部に収納配置する光学部品用筐体とを備え、前記光源装置から射出された光を画像情報に応じて変調して画像光を形成し、形成した画像光を拡大投射するプロジェクタであって、
前記光学部品用筐体には、前記光源装置を固定するためのネジ孔を有する固定部が設けられ、
前記光源装置は、
前記ネジ孔に螺合し、前記光源装置を前記光学部品用筐体に固定するネジと、
前記ネジの挿抜方向の移動を規制する移動規制部とを備え、
前記ネジの挿抜方向の移動可能な距離は、前記光源装置が前記光学部品用筐体に固定されている状態において、前記ネジ孔に螺合する部分の長さ以上とされていることを特徴とするプロジェクタ。
【請求項２】
請求項１に記載のプロジェクタにおいて、
前記挿抜方向は、水平方向とされていることを特徴とするプロジェクタ。
【請求項３】
請求項１または請求項２に記載のプロジェクタにおいて、
前記光源装置は、
光を射出する光源装置本体と、
前記光源装置本体を収納するとともに、前記固定部に固定される光源装置用筐体とを備え、
前記固定部は、前記光源装置本体における光射出側の先端を通り、前記光源装置本体の光軸と垂直な面の近傍位置に設けられ、
前記ネジの基端部分は、前記光源装置用筐体における前記光学部品用筐体とは反対側の端部近傍に位置することを特徴とするプロジェクタ。
【請求項４】
請求項３に記載のプロジェクタにおいて、
前記光源装置用筐体は、
前記ネジの基端部分を回転自在に支持する支持部を備えることを特徴とするプロジェクタ。
【請求項５】
請求項１から請求項４のいずれかに記載のプロジェクタにおいて、
前記光源装置、及び前記光学部品用筐体を収納する外装筐体を備え、
前記外装筐体は、
前記光源装置を外部に露出させる開口部と、
前記開口部を閉塞する蓋部材とを備え、
前記蓋部材には、前記光源装置が前記光学部品用筐体に固定されていない状態において、前記ネジの基端部分と干渉する突起部が形成されていることを特徴とするプロジェクタ。
【発明の詳細な説明】
【技術分野】
【０００１】
本発明は、プロジェクタに関し、特に光源装置を着脱可能なプロジェクタに関する。
【背景技術】
【０００２】
従来、光源装置と、複数の光学部品を内部に収納配置する光学部品用筐体とを備え、光源装置から射出された光を画像情報に応じて変調して画像光を形成し、形成した画像光を拡大投射するプロジェクタが知られている（例えば、特許文献１参照）。
特許文献１に記載のプロジェクタでは、光源装置は、光学部品用筐体に形成された取付孔（ネジ孔）にネジが鉛直方向に螺合されることで光学部品用筐体に固定されている。また、この際、光源装置、及び光学部品用筐体は、光源装置に電力を供給するためにコネクタを介して接続される。
【０００３】
【特許文献１】特開２００６−２２０８５７号公報
【発明の開示】
【発明が解決しようとする課題】
【０００４】
ところで、このようなプロジェクタでは、ネジを緩めて光源装置を光学部品用筐体から取り外す際にネジが外装筐体内部に脱落すると、脱落したネジがプロジェクタを構成する電子部品をショートさせる場合等があるので、光源装置は、ネジの挿抜方向（以下、挿抜方向とする）の移動を規制する移動規制部を備え、ネジが脱落しないように構成されていることが好ましい。
【０００５】
ここで、移動規制部にてネジの挿抜方向の移動を完全に規制すると、ネジを緩めるように回転させるに従って光源装置は光学部品用筐体から離間する方向に移動することとなる。しかしながら、コネクタは接続を維持しようとするので、光源装置は、コネクタを中心として光学部品用筐体に対して傾く。このため、ネジに対してはネジ孔に近接する方向に負荷が加わり、ネジを緩めにくくなるという問題がある。
また、負荷に抗してネジを緩めてネジ孔から抜けた場合であっても、ネジに対してはネジ孔に近接する方向に負荷が加わっているので、再度、ネジの先端のネジ山がネジ孔と噛み合ってしまい、光源装置を取り外しにくくなるという問題がある。
【０００６】
本発明の目的は、光源装置を光学部品用筐体に固定するネジを緩めやすくすることができ、光源装置を容易に取り外すことができるプロジェクタを提供することにある。
【課題を解決するための手段】
【０００７】
本発明のプロジェクタは、光源装置と、複数の光学部品を内部に収納配置する光学部品用筐体とを備え、前記光源装置から射出された光を画像情報に応じて変調して画像光を形成し、形成した画像光を拡大投射するプロジェクタであって、前記光学部品用筐体には、前記光源装置を固定するためのネジ孔を有する固定部が設けられ、前記光源装置は、前記ネジ孔に螺合し、前記光源装置を前記光学部品用筐体に固定するネジと、前記ネジの挿抜方向の移動を規制する移動規制部とを備え、前記ネジの挿抜方向の移動可能な距離は、前記光源装置が前記光学部品用筐体に固定されている状態において、前記ネジ孔に螺合する部分の長さ以上とされていることを特徴とする。
【０００８】
このような構成によれば、ネジは、ネジ孔から抜けた後で移動規制部にて挿抜方向の移動が規制されるので、光源装置、及び光学部品用筐体の位置関係を維持した状態でネジを回転させて緩めることができる。したがって、ネジに対してはコネクタによる負荷が加わらないので、光源装置を光学部品用筐体に固定するネジを緩めやすくすることができ、光源装置を容易に取り外すことができる。
【０００９】
本発明では、前記挿抜方向は、水平方向とされていることが好ましい。
ここで、ネジの挿抜方向を鉛直方向とすると、ネジに対しては自重によりネジ孔に近接する方向に微小な負荷が加わるので、再度、ネジの先端のネジ山がネジ孔と噛み合ってしまい、光源装置を取り外しにくくなるという問題がある。
しかしながら、本発明によれば、ネジの挿抜方向は、水平方向とされているので、ネジに対しては自重によりネジ孔に近接する方向に負荷が加わることがない。したがって、ネジの挿抜方向を鉛直方向とした場合と比較して光源装置を更に容易に取り外すことができる。
【００１０】
本発明では、前記光源装置は、光を射出する光源装置本体と、前記光源装置本体を収納するとともに、前記固定部に固定される光源装置用筐体とを備え、前記固定部は、前記光源装置本体における光射出側の先端を通り、前記光源装置本体の光軸と垂直な面の近傍位置に設けられ、前記ネジの基端部分は、前記光源装置用筐体における前記光学部品用筐体とは反対側の端部近傍に位置することが好ましい。
【００１１】
ここで、プロジェクタにおいて、光源装置を着脱可能に構成する場合には、例えば、プロジェクタの外装筐体に開口部を形成し、この開口部を介して光源装置を着脱する構成が考えられる。この際、光学部品用筐体に設けられる固定部は、光源装置本体の光学部品用筐体に対する位置ズレを小さくするために、光源装置本体における光射出側の先端を通り、光源装置本体の光軸と垂直な面（以下、固定基準面とする）の近傍位置に設けられていることが好ましい。
このような場合において、例えば、光源装置用筐体における光学部品用筐体側の端部近傍にネジの基端部分が位置する短いネジを用いて光源装置を光学部品用筐体に固定すると、ネジのネジ頭が開口部に対して遠い位置となるので、プロジェクタの使用者は、ネジを緩めにくいという問題がある。
【００１２】
これに対して、光学部品用筐体に光源装置用筐体全体を収納する筒状の収納部を設け、この収納部における開口部側の端部に固定部を設ける。そして、光源装置用筐体における光学部品用筐体とは反対側の端部近傍にネジの基端部分が位置する短いネジを用いて光源装置を光学部品用筐体に固定すると、ネジのネジ頭は開口部に対して近い位置となるので、プロジェクタの使用者は、ネジを緩めやすくなる。しかしながら、このように構成すると、固定部は、固定基準面から離間した位置となるので、光源装置本体の光学部品用筐体に対する位置ズレが大きくなるという問題がある。また、光学部品用筐体に光源装置用筐体全体を収納する筒状の収納部を設けるので、光学部品用筐体が大きくなるという問題がある。
【００１３】
本発明によれば、固定部は、固定基準面の近傍位置に設けられ、光源装置用筐体における光学部品用筐体とは反対側の端部近傍に基端部分（ネジ頭）が位置する長いネジを用いて光源装置を光学部品用筐体に固定するので、ネジのネジ頭を開口部に対して近い位置とすることができる。さらに、光源装置本体の光学部品用筐体に対する位置ズレを小さくすることができ、光学部品用筐体を小さくすることができる。
【００１４】
本発明では、前記光源装置用筐体は、前記ネジの基端部分を回転自在に支持する支持部を備えることが好ましい。
ここで、上述のように構成すると、ネジの基端部分と、ネジ孔に螺合するネジの先端部分との距離が大きくなる。したがって、ネジの基端部分が自由になっている場合には、ネジを回転させる際にネジの先端部分に大きな負荷が加わることとなる。
本発明によれば、光源装置用筐体は、ネジの基端部分を支持する支持部を備えるので、ネジの先端部分に加わる負荷を軽減させることができる。したがって、ネジや、ネジ孔等の破損を防止することができる。
【００１５】
本発明では、前記光源装置、及び前記光学部品用筐体を収納する外装筐体を備え、前記外装筐体は、前記光源装置を外部に露出させる開口部と、前記開口部を閉塞する蓋部材とを備え、前記蓋部材には、前記光源装置が前記光学部品用筐体に固定されていない状態において、前記ネジの基端部分と干渉する突起部が形成されていることが好ましい。
【００１６】
このような構成によれば、光源装置が光学部品用筐体に固定されていない状態においては、ネジの基端部分は開口部側に突出し、蓋部材の突起部と干渉する。すなわち、光源装置が光学部品用筐体に固定されている状態でなければ蓋部材にて開口部を閉塞することができないので、プロジェクタの使用者は、蓋部材にて開口部を閉塞することができるか否かにより、光源装置が光学部品用筐体に固定されているか否かを判断することができる。したがって、光源装置の交換時における安全性を高めることができる。
【発明を実施するための最良の形態】
【００１７】
以下、本発明の一実施形態を図面に基づいて説明する。
〔プロジェクタの概略構成〕
図１は、プロジェクタ１を前面側から見た斜視図である。
プロジェクタ１は、外部機器等から入力される画像情報に応じて画像光を形成し、形成した画像光をスクリーン等の投射面上に投影するものである。このプロジェクタ１は、図１に示すように、外装筐体２と、外装筐体２の前面における略中央位置に露出し、画像情報に応じて形成された画像光を投射する投射レンズ３と、外装筐体２内に収納される光学装置４（図３参照）とを備えている。
外装筐体２は、全体略直方体形状を有し、側面（図１中手前側の側面）における略中央位置には、略矩形状の開口部２１が形成され、この開口部２１には、略矩形状の蓋部材５が嵌合されている。すなわち、蓋部材５は、開口部２１を閉塞している。
【００１８】
図２は、プロジェクタ１の蓋部材５を取り外した状態を示す分解斜視図である。
開口部２１は、図２に示すように、後述する光学装置４を構成する光源装置４０を外部に露出させるものであり、プロジェクタ１の使用者は、この開口部２１を介して光源装置４０を着脱する。
なお、図示は省略するが、外装筐体２内において、光学装置４以外の空間には、プロジェクタ１内部の各構成部材を冷却する冷却ファン等を備えた冷却装置、プロジェクタ１内部の各構成部材に電力を供給する電源装置、およびプロジェクタ１内部の各構成部材を制御する制御装置等が配置される。
【００１９】
〔光学装置の構成〕
図３は、光学装置４の光学系を示す模式図である。
光学装置４は、前述した制御装置から入力される画像信号に応じた画像光を形成し、形成した画像光を投射面上に投射する。この光学装置４は、外装筐体２の背面に沿って延出するとともに、外装筐体２の側面に沿って延出する平面視略Ｌ字形状を有している。
このような光学装置４は、図３に示すように、光源装置４０と、照明光学装置４１と、色分離光学装置４２と、リレー光学装置４３と、電気光学装置４４と、これら各装置４１〜４４を内部に収納配置するとともに、光源装置４０が固定される光学部品用筐体４５と、この光学部品用筐体４５に取り付けられる前述した投射レンズ３とを備えて構成されている。
【００２０】
光源装置４０は、放射状の光線を射出する光源ランプ４０１と、光源ランプ４０１から射出された放射光を反射して所定位置に収束させる楕円面鏡からなるリフレクタ４０２と、リフレクタ４０２にて収束される光束を照明光軸Ａに対して平行化する平行化凹レンズ４０３とを備えている。また、光源ランプ４０１と、リフレクタ４０２とは、光源ランプ４０１の発光中心、及びリフレクタ４０２の楕円面の第１焦点が略一致するように位置調整されて光源装置本体４００として一体化されている。
照明光学装置４１は、第１レンズアレイ４１１、第２レンズアレイ４１２、偏光変換素子４１３及び重畳レンズ４１４を備えて構成されている。
【００２１】
第１レンズアレイ４１１及び第２レンズアレイ４１２は、それぞれ対応する小レンズがマトリクス状に配列された構成を有し、第１レンズアレイ４１１は、光源装置４０から入射した光束を複数の部分光束に分割して、第２レンズアレイ４１２近傍に結像させる。
第２レンズアレイ４１２は、光路後段に位置する重畳レンズ４１４とともに、第１レンズアレイ４１１の各小レンズから射出された像を、電気光学装置４４の後述する液晶パネル４４１の画像形成領域に結像させる。
偏光変換素子４１３は、第２レンズアレイ４１２から入射した各部分光束を、略１種類の直線偏光光に変換する。
【００２２】
色分離光学装置４２は、２枚のダイクロイックミラー４２１，４２２及び反射ミラー４２３を備え、照明光学装置４１から射出された複数の部分光束を赤（Ｒ）、緑（Ｇ）、青（Ｂ）の３色の色光に分離する。
リレー光学装置４３は、色分離光学装置４２で分離された赤色光を、後述する赤色光用の液晶パネル４４１Ｒまで導くものであり、入射側レンズ４３１、リレーレンズ４３３及び反射ミラー４３２，４３４を備えている。
【００２３】
電気光学装置４４は、入射した光束を画像信号に応じて変調して画像光を形成する。この電気光学装置４４は、３つの液晶パネル４４１（赤色光側の液晶パネルを４４１Ｒ、緑色光側の液晶パネルを４４１Ｇ、青色光側の液晶パネルを４４１Ｂとする）と、各液晶パネル４４１の光路前段側に配置される３つの入射側偏光板４４２と、各液晶パネル４４１の光路後段側に配置される３つの射出側偏光板４４３と、クロスダイクロイックプリズム４４４とを備えて構成されている。
【００２４】
３つの入射側偏光板４４２は、色分離光学装置４２で分離された各色光のうち、偏光変換素子４１３で揃えられた偏光方向と略同一の偏光方向を有する偏光光のみ透過させ、その他の光束を吸収する。
３つの液晶パネル４４１は、一対の透明なガラス基板に電気光学物質である液晶が密閉封入された構成を有し、入力される画像情報に応じて液晶の配向状態が制御されることで、入射側偏光板４４２から射出された偏光光の偏光方向を変調する。
３つの射出側偏光板４４３は、液晶パネル４４１を介して射出された光束のうち、一定方向の偏光光（例えば、入射側偏光板４４２における光束の透過軸と直交する偏光軸を有する光束）を透過し、その他の光を吸収する。
【００２５】
クロスダイクロイックプリズム４４４は、各射出側偏光板４４３から射出された変調光を合成して画像光を形成する。このクロスダイクロイックプリズム４４４は、４つの直角プリズムを貼り合わせた平面視略正方形状を有し、直角プリズム同士を貼り合わせた界面には、２つの誘電体多層膜が形成されている。これら誘電体多層膜は、液晶パネル４４１Ｇから射出され、かつ、射出側偏光板４４３を介した色光を透過し、液晶パネル４４１Ｒ，４４１Ｂから射出され、かつ、射出側偏光板４４３を介した各色光を反射する。これにより、赤色光、緑色光及び青色光が合成された画像光（カラー画像）が形成される。
【００２６】
光学部品用筐体４５は、内部に所定の照明光軸Ａが設定され、上述した各装置４１〜４４を照明光軸Ａに対する所定位置に配置するとともに、上述した光源装置４０が固定される合成樹脂製の箱状部材である。
投射レンズ３は、筒状の鏡筒（図示略）内に複数のレンズが収納された組レンズとして構成され、電気光学装置４４で形成された画像光を拡大投射する。
【００２７】
〔光源装置、及び光学部品用筐体の詳細構成〕
図４は、蓋部材５、光源装置４０、及び光学部品用筐体４５を示す分解斜視図である。図５は、光学部品用筐体４５に固定されている状態における光源装置４０の断面図である。図６は、光学部品用筐体４５に固定されていない状態における光源装置４０の断面図である。
光学部品用筐体４５には、図４に示すように、蓋部材５側、すなわち開口部２１（図２参照）側の端部に光源装置４０を収納するためのアウターハウジング４５１が形成されている。このアウターハウジング４５１は、断面矩形の筒状に形成され、光源装置４０側の端部には、固定部４５２が２箇所に設けられている。そして、各固定部４５２には、水平方向に沿ってネジ孔４５３Ａが形成されたナット４５３が挿入されている。すなわち、各固定部４５２は、ネジ孔４５３Ａを有している。
また、各固定部４５２は、光源装置本体４００における光射出側の先端を通り、光源装置本体４００の光軸（照明光軸Ａ）と垂直な固定基準面Ｂの近傍位置に設けられている。
【００２８】
光源装置４０は、アウターハウジング４５１の固定部４５２に固定される光源装置用筐体としてのインナーハウジング６を備え、このインナーハウジング６は、蓋部材５側の第１ハウジング６１と、光学部品用筐体４５側の第２ハウジング６２と、２つのネジ６３と、２つの留め具６４と、コネクタ６５とを組み合わせて構成されている。
第１ハウジング６１は、図４、及び図５に示すように、光源装置本体４００を覆う断面矩形の筒状に形成され、各ネジ６３を収納し支持する円筒状の支持部６１１と、取手部６１２とを備える。
【００２９】
支持部６１１は、光源装置本体４００の光軸に沿って延出し、各ネジ６３の基端部分を回転自在に支持している。
取手部６１２は、第１ハウジング６１における背面（蓋部材５側の面）に形成された略直方体状の部分であり、プロジェクタ１の使用者が光源装置４０を着脱する際に把持する部分である。なお、取手部６１２は、光源装置４０を着脱する際に、使用者による力をコネクタ６５に効率的に付加するために照明光軸Ａに対してコネクタ６５側に形成されている。
【００３０】
各ネジ６３は、各ナット４５３と対向する位置に設けられ、水平方向に沿って各ナット４５３に螺合されることで光源装置４０を光学部品用筐体４５に固定する。すなわち、各ネジ６３の挿抜方向は、水平方向とされている。
また、各ネジ６３は、図５に示すように、各ネジ６３の先端部分に形成されるネジ山６３１と、基端部分に形成されるネジ頭６３２と、ネジ山６３１、及びネジ頭６３２を接続する略円柱状の軸部６３３とを備える。
ここで、各ネジ６３の長さは、ネジ６３がナット４５３に螺合され、光源装置４０が光学部品用筐体４５に固定されている状態において、ネジ頭６３２が第１ハウジング６１における光学部品用筐体４５とは反対側の端部近傍に位置する長さとされている。
【００３１】
ネジ山６３１は、ナット４５３に螺合される部分である。なお、本実施形態では、光源装置４０が光学部品用筐体４５に固定されている状態において、ネジ孔４５３Ａに螺合するネジ山６３１の挿抜方向の長さを距離Ｄ１とする。
軸部６３３は、ネジ山６３１と略同径に形成される大径部６３３Ａと、大径部６３３Ａ、及びネジ山６３１の間に形成され、大径部６３３Ａ、及びネジ山６３１と比較して径が小さい小径部６３３Ｂとを有している。なお、大径部６３３Ａの挿抜方向の長さは、支持部６１１の挿抜方向の長さと略同等である。
【００３２】
移動規制部としての各留め具６４は、ネジ６３の挿抜方向の移動を規制するものであり、図５に示すように、第１ハウジング６１、及び第２ハウジング６２に挟み込まれるように配置されている。各留め具６４は、リング状に形成され、各ネジ６３の小径部６３３Ｂが挿通されている。また、各留め具６４の内径は、小径部６３３Ｂより大きく、大径部６３３Ａ、及びネジ山６３１より小さい径とされている。
コネクタ６５は、第１ハウジング６１の下面側に設けられている。そして、コネクタ６５がアウターハウジング４５１の下面側に設けられたコネクタ（図示略）と接続することで、前述した電源装置から光源装置４０に電力が供給される。
【００３３】
第２ハウジング６２は、前述した光源装置本体４００、コネクタ６５、及び平行化凹レンズ４０３を所定位置に収納配置するものであり、図５に示すように、光学部品用筐体４５側の端部には、光学部品用筐体４５の各固定部４５２と当接し、光源装置本体４００の光学部品用筐体４５に対する位置決めを行う２つの当接部６２１が設けられている。各当接部６２１には、ネジ６３を挿通するための挿通孔６２１Ａが各ナット４５３と対向する位置にそれぞれ形成されている。なお、各挿通孔６２１Ａの内径は、ネジ６３のネジ山６３１よりも大きい径とされている。
【００３４】
各挿通孔６２１Ａは、第１ハウジング６１側に周縁部分が突出する形状とされ、各挿通孔６２１Ａと、第１ハウジング６１との間隔は、各留め具６４の挿抜方向における厚みと略同等に設定されている。すなわち、各留め具６４は、第１ハウジング６１、及び第２ハウジングの間で略移動しないので、各ネジ６３の挿抜方向の移動可能な距離は、各ネジ６３の小径部６３３Ｂの挿抜方向における長さ（距離Ｄ２）となる。また、距離Ｄ２は、前述した距離Ｄ１以上に設定されている。
【００３５】
蓋部材５には、図４に示すように、各ネジ６３のネジ頭６３２と対向する位置に、光源装置４０側に向かって突出する突起部５１が形成されている。突起部５１の突出量は、図５に示すように、光源装置４０が光学部品用筐体４５に固定されている状態において、各ネジ６３のネジ頭６３２と干渉せず、図６に示すように、光源装置４０が光学部品用筐体４５に固定されていない状態において、各ネジ６３のネジ頭６３２と干渉する突出量とされている。
【００３６】
〔光源装置の着脱方法〕
次に、光源装置４０の着脱方法について、図４〜図６を参照して説明する。
光源装置４０が光学部品用筐体４５に固定されている状態（図５）において、光源装置４０を光学部品用筐体４５から取り外すには、まず、蓋部材５を開口部２１（図２参照）から取り外し、各ネジ６３を、緩める方向に回転させる。各ネジ６３は、回転させることで固定部４５２から離間する方向に移動し、距離Ｄ１だけ移動することで固定部４５２から離間する（図６）。なお、距離Ｄ２は、距離Ｄ１以上とされているので、ネジ山６３１は挿通孔６２１Ａに収納され、各ネジ６３を蓋部材５側に引き出そうとしても留め具６４にて移動が規制される。
そして、取手部６１２を把持して光源装置４０を蓋部材５側に引き出すことで、コネクタ６５をアウターハウジング４５１の下面側に設けられたコネクタから離間させて光源装置４０を光学部品用筐体４５から取り外す。
【００３７】
また、光源装置４０が光学部品用筐体４５に固定されていない状態において、光源装置４０を光学部品用筐体４５に固定するには、まず、光源装置４０を光学部品用筐体４５側に押し込み、コネクタ６５をアウターハウジング４５１の下面側に設けられたコネクタに接続する。なお、図６に示すように、この状態においては、蓋部材５にて開口部２１を閉塞しようとすると突起部５１がネジ頭６３２と干渉するので閉塞することができない。
そして、各ネジ６３を、締める方向に回転させることで、ナット４５３に螺合して光源装置４０を光学部品用筐体４５に固定する。なお、図５に示すように、この状態においては、突起部５１がネジ頭６３２と干渉しないので蓋部材５にて開口部２１を閉塞することができる。
【００３８】
本実施形態に係るプロジェクタ１によれば、次のような効果がある。
（１）ネジ６３の挿抜方向の移動可能な距離Ｄ２は、ネジ孔４５３Ａに螺合するネジ山６３１の挿抜方向の長さＤ１以上に設定されている。これにより、ネジ６３は、ネジ孔４５３Ａから抜けた後で留め具６４にて挿抜方向の移動が規制されるので、光源装置４０、及び光学部品用筐体４５の位置関係を維持した状態でネジ６３を回転させて緩めることができる。したがって、ネジ６３に対してはコネクタ６５による負荷が加わらないので、光源装置４０を光学部品用筐体４５に固定するネジ６３を緩めやすくすることができ、光源装置４０を容易に取り外すことができる。
【００３９】
（２）ネジ６３の挿抜方向は、水平方向とされているので、ネジ６３に対しては自重によりネジ孔４５３Ａに近接する方向に負荷が加わることがない。したがって、ネジの挿抜方向を鉛直方向とした場合と比較して光源装置４０を更に容易に取り外すことができる。
（３）固定部４５２は、固定基準面Ｂの近傍位置に設けられ、インナーハウジング６における光学部品用筐体４５とは反対側の端部近傍にネジ頭６３２が位置する長いネジ６３を用いて光源装置４０を光学部品用筐体４５に固定するので、ネジ６３のネジ頭６３２を開口部２１に対して近い位置とすることができる。さらに、光源装置本体４００の光学部品用筐体４５に対する位置ズレを小さくすることができ、光学部品用筐体４５を小さくすることができる。
【００４０】
（４）支持部６１１は、各ネジ６３の基端部分を回転自在に支持しているので、ネジ６３の先端部分に加わる負荷を軽減させることができる。したがって、ネジ６３や、ネジ孔４５３Ａ等の破損を防止することができる。
（５）蓋部材５における突起部５１の突出量は、光源装置４０が光学部品用筐体４５に固定されている状態において、各ネジ６３のネジ頭６３２と干渉せず、光源装置４０が光学部品用筐体４５に固定されていない状態において、各ネジ６３のネジ頭６３２と干渉する突出量とされている。したがって、プロジェクタ１の使用者は、蓋部材５にて開口部２１を閉塞することができるか否かにより、光源装置４０が光学部品用筐体４５に固定されているか否かを判断することができ、光源装置４０の交換時における安全性を高めることができる。
【００４１】
〔実施形態の変形〕
なお、本発明は前記実施形態に限定されるものではなく、本発明の目的を達成できる範囲での変形、改良等は本発明に含まれるものである。
前記実施形態では、起動規制部として留め具６４を用いていたが、例えば、ネジに拡幅部を形成する等してもよく、要するに、ネジの挿抜方向の移動を規制するものであればよい。
前記実施形態では、ネジ６３の挿抜方向は、水平方向とされていたが、これ以外の方向としてもよく、例えば、鉛直方向としてもよい。しかしながら、鉛直方向とすると、ネジに対しては自重によりネジ孔に近接する方向に微小な負荷が加わるので、水平方向とする本発明が好ましい。
【００４２】
前記実施形態では、支持部６１１は、円筒状に形成され、各ネジ６３の軸部６３３全体を支持していたが、一部のみを支持するようにしてもよい。要するに、支持部は、ネジの基端部分を回転自在に支持していればよい。
前記実施形態では、固定部４５２、及び当接部６２１は、固定基準面Ｂの近傍位置に設けられ、インナーハウジング６における光学部品用筐体４５とは反対側の端部近傍にネジ頭６３２が位置する長いネジ６３を用いて光源装置４０を光学部品用筐体４５に固定していた。これに対して、固定部、及び当接部の位置や、ネジの長さを自由に設定しても良い。なお、ネジの長さを短くした場合には、光源装置に支持部を設けなくてもよい。
【００４３】
前記実施形態では、蓋部材５には、光源装置４０が光学部品用筐体４５に固定されていない状態において、ネジ６３の基端部分と干渉する突起部５１が形成されていた。これに対して、例えば、蓋部材に新たな部材を取り付けることでネジの基端部分と干渉するようにしてもよい。要するに、蓋部材にて開口部を閉塞することができるか否かにより、光源装置が光学部品用筐体に固定されているか否かを判断できればよい。
前記実施形態では、透過型の液晶パネル４４１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００４４】
本発明は、プロジェクタに利用でき、特に光源装置を着脱可能なプロジェクタに好適に利用することができる。
【図面の簡単な説明】
【００４５】
【図１】本発明の一実施形態に係るプロジェクタを前面側から見た斜視図。
【図２】前記実施形態におけるプロジェクタの蓋部材を取り外した状態を示す分解斜視図。
【図３】前記実施形態における光学装置の光学系を示す模式図。
【図４】前記実施形態における蓋部材、光源装置、及び光学部品用筐体を示す分解斜視図。
【図５】前記実施形態における光学部品用筐体に固定されている状態における光源装置の断面図。
【図６】前記実施形態における光学部品用筐体に固定されていない状態における光源装置の断面図。
【符号の説明】
【００４６】
１…プロジェクタ、２…外装筐体、５…蓋部材、６…インナーハウジング（光源装置用筐体）、２１…開口部、４０…光源装置、４５…光学部品用筐体、５１…突起部、６３…ネジ、６４…留め具（移動規制部）、４００…光源装置本体、４５２…固定部、４５３Ａ…ネジ孔、６１１…支持部、Ｂ…固定基準面、Ｄ１…距離、Ｄ２…距離。
【図１】
2009175503.tif 000003
【図２】
2009175503.tif 000004
【図３】
2009175503.tif 000005
【図４】
2009175503.tif 000006
【図５】
2009175503.tif 000007
【図６】
2009175503.tif 000008